【事件の表示】
　特許第２９５０３５４号「温度表示機能付き自動販売機」の請求項１に係る特許に対する特許異議の申立てについて、次のとおり決定する。
【結　論】
　訂正を認める。
　本件特許異議の申立てを却下する。
【理　由】
１．手続きの経緯
  本件特許第２９５０３５４号の請求項１乃至３に係る発明についての出願は、平成５年１１月１日に特許出願され、平成１１年７月９日にその特許の設定登録がなされ、その後、吉田春男より特許異議の申立てがなされ、取消理由通知がなされ、その指定期間内である平成１２年９月２６日に訂正請求がなされたものである。
　　　　　
２．訂正の適否についての判断
２−１訂正の内容
　上記訂正請求によれば、次の訂正事項を含むものである。
（ａ）願書に添付した明細書の請求項１を削除する。
（ｂ）願書に添付した明細書の段落【０００８】、【００１１】及び【００２４】を見出しを除き削除するとともに、段落番号を繰り上げ訂正する。
（ｃ）願書に添付した明細書の「請求項２」を「請求項１」に、「請求項３」を「請求項２」に、それぞれ訂正する。
　　　　
２−２訂正の目的の適否、新規事項の有無、及び拡張・変更の存否
　上記訂正事項（ａ）は、請求項を削除するものであって、特許請求の範囲の減縮に該当し、また訂正事項（ｂ）及び（ｃ）は、請求項１を削除することに伴い訂正するものであって、明りょうでない記載の釈明に該当する。
　そして、上記訂正事項は、新規事項の追加に該当せず、また実質的に特許請求の範囲を拡張し、又は変更するものではない。
　　　　　
２−３むすび
  以上のとおりであるから、上記訂正は、特許法等の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
　　　　　
３．特許異議の申立てについての判断
　請求項１に係る発明は、訂正の結果削除され、特許異議の申立ての対象が存在しないので、この特許異議の申立ては、不適法な申立てであって、その補正をすることができないものである。
　したがって、本件特許異議の申立ては、特許法第１２０条の６第１項で準用する第１３５条の規定によって却下すべきものである。
　よって、結論のとおり決定する。
【異議決定日】
平成１２年１０月３０日（２０００．１０．３０）
【訂正の要旨】
　本件訂正の要旨は、特許第２９５０３５４号の明細書を本件訂正請求書に添付の訂正明細書のとおりに訂正するもので、その訂正の内容は、下記訂正事項（ａ）〜（ｃ）のとおりである。
訂正事項（ａ）
　願書に添付した明細書の請求項１を削除する。
訂正事項（ｂ）
　願書に添付した明細書の段落【０００８】、【００１１】及び【００２４】を見出しを除き削除するとともに、段落【０００９】以降の段落番号を繰り上げ訂正する。
訂正事項（ｃ）
　願書に添付した明細書の「請求項２」を「請求項１」に、「請求項３」を「請求項２」に、それぞれ訂正する。
（５４）【発明の名称】
温度表示機能付き自動販売機
（５７）【特許請求の範囲】
　　【請求項
１
　　【請求項
２
【発明の詳細な説明】
　【０００１】
　　【産業上の利用分野】
　本発明は自動販売機の庫内の特定場所の温度を投入金表示器を利用して表示する温度表示機能付き自動販売機に関するものである。
　【０００２】
　　【従来の技術】
　図４に示すように、自動販売機の前面扉１には投入金額を利用者に知らせるために投入金表示器２が設けられている。投入金表示器２の表示内容を選択する販売制御部には、図５に示すような手段が構成されている。
　【０００３】
　販売商品を貯蔵する庫内は、左室３Ｌと右室３Ｒとに隔壁４で分割されており、ここでは左室３Ｌと右室３Ｒはともに冷蔵で、別々の目標設定温度に近づくように温度制御されている。コイン投入口５からコインを計数するコインメカニズム〔図示せず〕から発生する投入金額情報Ｃと、温度センサ６で検出した右室３Ｒの庫内温度Ｔａとを入力としたデータ切換部７は、コイン投入口５にコインが投入されたことを検出するまでは、図６の（ａ）に示すように庫内温度“１３”を投入金表示器２に表示している。ここでは、投入金額と庫内温度の何れもが投入金表示器２の最小桁Ｄ１を“１の位”として表示している。
　【０００４】
　そして、データ切換部７は投入金額情報Ｃから投入金〔ここでは１００円の投入金〕があったことを検出すると、図６の（ｂ）に示すように投入金額の“１００”円を投入金表示器２に表示する。
　【０００５】
　　【発明が解決しようとする課題】
　この従来の構成では、利用者は投入金表示器２の図６の（ｂ）に示す状態を確認することによって、庫内温度が１３度である旨を確認できる。
　【０００６】
　しかし、投入金表示器２に表示される“庫内温度の１３度”は右室３Ｒの庫内温度であって、購入する商品が左室３Ｌにストックされている場合には、商品温度の目安にならない。
　【０００７】
　本発明は庫内が複数室に仕切られている場合であっても投入金表示器２を介して選択商品の温度を正確に確認できる温度表示機能付き自動販売機を提供することを目的とする。
　【０００８】
　　【課題を解決するための手段】
　
請
１
　【０００９】
　請求項
２
　【００１０】
　　【作用】
　
請
１
　【００１１】
　請求項
２
　【００１２】
　　【実施例】
　以下、本発明の一実施例を図１〜図３に基づいて説明する。
　なお、従来例を示す図４，図５と同様の作用をなすものには同一の符号を付けて説明する。
　【００１３】
　本発明の温度表示機能付き自動販売機は図２に示すように構成されている。ここでは庫内が左室３Ｌと右室３Ｒとの２室に分割されている場合を例に挙げて説明する。
　【００１４】
　自動販売機の庫内には、選択ボタン８ａ〜８ｄに対応した商品が左室３Ｌと右室３Ｒに設置されたストッカ９ａ〜９ｄに分けて貯蔵されている。選択ボタン８ａ〜８ｄとストッカ９ａ〜９ｄの対応ならびにストッカ９ａ〜９ｄが左室３Ｌと右室３Ｒの何れに設置されているかの別が販売制御部１０のメモリ１１に登録されている。販売の動作を簡単に説明すると、コインを投入して入金額が販売価格に達した状態で選択ボタン８ａ〜８ｄの何れかが操作されたことを販売制御部１０が検出すると、操作を検出した選択ボタンに対応してメモリ１１の内容を検索してストッカ９ａ〜９ｄの何れに選択商品の貯蔵されているかを判別し、選択商品の貯蔵されているストッカに商品の払い出しを指示する。
　【００１５】
　販売制御部１０には投入金表示器２の表示内容を管理する表示制御部１２が設けられている。表示制御部１２には、左室３Ｌと右室３Ｒに設置された温度センサ６ａ，６ｂの検出した庫内温度Ｔａ，Ｔｂと、投入金額情報Ｃと、メモリ１１の読み出し情報Ｐ、ならびに運転情報Ｍが入力されており、投入金表示器２へ供給される表示内容Ｎが次のように切り換えられている。なお、運転情報Ｍには選択ボタン８ａ〜８ｄの操作状態と入金の有無の情報が含まれている。
　【００１６】
　表示制御部１２は図１に示すフローチャートのように構成されている。
　＃１で運転情報Ｍから客待ちの状態かどうかを判別する。入金があって販売待機中でないと判定された場合には、＃２で投入金表示器２に投入金額情報Ｃを供給して投入金額を表示する。ここでは投入金額の“１００”円が投入金表示器２の最小桁Ｄ１を“１の位”として表示する。＃２は販売が完了して販売待機中の状態に復帰するまで繰り返し実行され、コインの投入が追加投入されると投入金表示器２の表示金額もその都度に更新される。
　【００１７】
　入金が無くて客待ちの状態では、＃１では販売待機中であると判定されて＃３を実行する。＃３では選択ボタン８ａ〜８ｄの何れかが操作されたかどうかを判別する。何れの選択ボタンも操作されていないと判定された場合には、＃４で投入金表示器２に左室３Ｌの庫内温度Ｔａを供給して投入金表示器２の千の桁Ｄ４を“１の位”として規定時間だけ表示する。ここでは“１０”度が表示されている。＃５と＃６では＃１と＃３と同様に販売待機中かどうかならびに選択ボタン８ａ〜８ｄの何れかが操作されたかを判別し、販売待機中で入金が無かった場合には＃７を実行する。＃７では投入金表示器２に右室３Ｒの庫内温度Ｔｂを供給して投入金表示器２の最小桁Ｄ１を“１の位”として規定時間だけ表示する。ここでは“１３”度が表示されている。
　【００１８】
　＃３または＃６において選択ボタンの操作されたことを検出した場合には、＃８を実行して特定の庫内温度を投入金表示器２に表示する。具体的には、選択ボタン８ａの操作を検出した場合には、メモリ１１に選択ボタン８ａに対応した商品の貯蔵されている場所を照会し、該当商品が左室３Ｌに貯蔵されている場合には、＃８では投入金表示器２に左室３Ｌの庫内温度Ｔａを供給して投入金表示器２の千の桁Ｄ４を“１の位”として規定時間だけ表示する。
　【００１９】
　このように構成したため、入金に先立って希望商品に対応した選択ボタンを操作すると、その商品が貯蔵されている庫内の温度を投入金表示器２を介して確認できる。
　【００２０】
　また、入金に先立って何れの選択ボタンも操作しない場合には、＃４で左室３Ｌの庫内温度Ｔａが投入金表示器２に表示され、＃７で右室３Ｒの庫内温度Ｔｂが投入金表示器２に表示され、しかも、投入金表示器２における表示位置から左室３Ｌと右室３Ｒの何れの温度が投入金表示器２に表示されているかを判別することができる。この実施例では、庫内温度Ｔａ，Ｔｂの表示の際に、投入金表示器２の百の桁Ｄ３に特定符号“：”を表示して左室３Ｌと右室３Ｒの区別を明確にするとともに庫内温度表示と投入金額表示の区別を明確にしている。
　【００２１】
　上記の実施例では２室の場合を例に挙げて説明したが、廓内が左室３Ｌと中央室３Ｓと右室３Ｒの３室に分割されている場合には、図３の（ａ）に示すようにして順に投入金表示器２に表示させるように表示制御部１２が構成される。この図３の（ａ）例では、左室３Ｌが１０度，中央室３Ｓが１２度，右室３Ｒが１３度の場合で、左室３Ｌと中央室３Ｓと右室３Ｒの各庫内の温度が投入金表示器の対応する位置に表示されている。同様に、庫内が左室３しと左中室３ＬＳと右中室３ＲＳと右室３Ｒの４室に分割されている場合には、図３の（ｂ）に示すようにして順に投入金表示器２に表示させるように表示制御部１２が構成される。この図３の（ｂ）例では、左室３Ｌが１０度，左中室３ＬＳが１２度，右中室３ＲＳが１０度，右室３Ｒが１３度の場合で、各庫内の温度が投入金表示器の対応する位置に表示されている。
　【００２２】
　　【発明の効果】
　
請
１
　【００２３】
　請求項
２
１
２
【図面の簡単な説明】
　　【図１】
　本発明の温度表示機能付き自動販売機の表示制御部のフローチャート図である。
　　【図２】
　同実施例の構成図である。
　　【図３】
　別の実施例の表示例の説明図である。
　　【図４】
　自動販売機の外観正面図である。
　　【図５】
　従来の自動販売機の説明図である。
　　【図６】
　従来の投入金表示器の表示例の説明図である。
　　【符号の説明】
　　２　　　投入金表示器
　　３Ｌ，３Ｒ　　　左室，右室
　　６ａ，６ｂ　　　温度センサ
　　８ａ〜８ｄ　　　選択ボタン
　　９ａ〜９ｄ　　　ストッカ
　１２　　表示制御部